(57)【要約】【課題】一つのリテーナがその装着方向に並ぶ複数のキャビティ内に挿入された各端子金具を係止するようにする。【解決手段】列方向に複数のキャビティ１３を並べたコネクタハウジング１０と、コネクタハウジング１０の左右の両側面にヒンジ４０によって一体連結されたリテーナ６０とを備える。リテーナ６０には、ヒンジ４０の周りに回動する係止板６３が各キャビティ１３の列毎に形成される。コネクタハウジング１０には、各キャビティ１３をその列方向に横断する装着孔２２が側壁の外面に開口して形成される。係止板６３は、装着孔２２内に回動して挿入されるに伴って同列で並んだ複数のキャビティ１３をその列方向に横切り、各キャビティ１３内に挿入された端子金具５０の受け面５６に対して後方から押し当て可能とされる係止面８２，８３，８４を複数有する。【選択図】図４
2008117649.tif 000002
【特許請求の範囲】
【請求項１】
複数のキャビティが列方向に並んで配置され、各キャビティ内に後方から端子金具が挿入されるコネクタハウジングと、
前記コネクタハウジングの側壁にヒンジによって一体連結されたリテーナとを備え、
前記リテーナには、前記ヒンジの周りに回動する係止板が、各キャビティの列毎に形成され、
前記コネクタハウジングには、各キャビティをその列方向に横断する形態で、前記係止板を挿入可能となす装着孔が、前記側壁の外面に開口して形成され、
前記端子金具は、前記係止板とその回動軌道上で干渉可能な位置に、受け面を有し、
前記係止板は、前記装着孔内に回動して挿入されるに伴って同列で並んだ複数のキャビティをその列方向に横切り、各キャビティ内に挿入された端子金具の受け面に対して後方から押し当て可能とされる係止面を複数有していることを特徴とするコネクタ。
【請求項２】
前記コネクタハウジングにおける前記装着孔の後方孔縁は、前記係止板の回動軌跡に沿った円弧状に切り欠いて形成されていることを特徴とする請求項１に記載のコネクタ。
【請求項３】
前記リテーナは、前記キャビティの列方向で対向する前記コネクタハウジングの両側面に夫々設けられていることを特徴とする請求項１または請求項２に記載のコネクタ。 
【発明の詳細な説明】
【技術分野】
【０００１】
本発明は、コネクタに関する。
【背景技術】
【０００２】
特許文献１にはリテーナ付きのコネクタが開示されている。これは、後方から端子金具を挿入可能なキャビティを上下二段で有するコネクタハウジングと、コネクタハウジングの上下両面の夫々に対し可撓性のヒンジによって一体連結された上下一対のリテーナとを備えて構成される。コネクタハウジングには、各キャビティと連通してコネクタハウジングの上下両面に開口するリテーナの装着孔が設けられている。各リテーナはヒンジを屈曲させつつ対応する装着孔に挿入され、キャビティ内に正規挿入された各端子金具を抜け止め状態で係止するようになっている。
【特許文献１】特開平７−６５９２４号公報
【発明の開示】
【発明が解決しようとする課題】
【０００３】
ところで、リテーナはコネクタハウジングの上下両面においてキャビティ毎に対応して設けられているため、キャビティは上下二段で設置されるのを余儀なくされる。つまり、上記においては、一つのリテーナがその装着方向に並ぶ複数のキャビティ内に挿入された各端子金具を係止することができない構造となっている。
【０００４】
もっとも、一般的なサイドタイプのリテーナによれば、複数のキャビティがリテーナの装着方向に並ぶようなコネクタハウジングにも適用可能とされるが、この場合、リテーナとコネクタハウジングとが別体であるため、部品点数が増えて管理が煩わしいという事情がある。また、仮に、このリテーナをコネクタハウジングに対してヒンジによって一体連結するとなると、紐状の長いヒンジを用意する必要があってヒンジに異物が引っ掛かるおそれがある。また、一般的なサイドタイプのリテーナにあってはコネクタハウジングに半挿入状態で留め置かれた端子金具を正規挿入状態へと至らすことができないという事情もある。
【０００５】
本発明は上記のような事情に基づいて完成されたものであって、その目的は、ヒンジの長さを格別長くしなくても一つのリテーナがその装着方向に並ぶ複数のキャビティ内に挿入された各端子金具を係止することが可能であり、しかも、端子金具を正規挿入状態へ至らすことが可能とされるリテーナを備えたコネクタを提供することにある。
【課題を解決するための手段】
【０００６】
上記の目的を達成するための手段として、請求項１の発明は、複数のキャビティが列方向に並んで配置され、各キャビティ内に後方から端子金具が挿入されるコネクタハウジングと、前記コネクタハウジングの側壁にヒンジによって一体連結されたリテーナとを備え、前記リテーナには、前記ヒンジの周りに回動する係止板が、各キャビティの列毎に形成され、前記コネクタハウジングには、各キャビティをその列方向に横断する形態で、前記係止板を挿入可能となす装着孔が、前記側壁の外面に開口して形成され、前記端子金具は、前記係止板とその回動軌道上で干渉可能な位置に、受け面を有し、前記係止板は、前記装着孔内に回動して挿入されるに伴って同列で並んだ複数のキャビティをその列方向に横切り、各キャビティ内に挿入された端子金具の受け面に対して後方から押し当て可能とされる係止面を複数有している構成としたところに特徴を有する。
【０００７】
請求項２の発明は、請求項１に記載のものにおいて、前記コネクタハウジングにおける前記装着孔の後方孔縁は、前記係止板の回動軌跡に沿った円弧状に切り欠いて形成されているところに特徴を有する。
【０００８】
請求項３の発明は、請求項１または請求項２に記載のものにおいて、前記リテーナは、前記キャビティの列方向で対向する前記コネクタハウジングの両側面に夫々設けられているところに特徴を有する。
【発明の効果】
【０００９】
＜請求項１の発明＞
リテーナにはキャビティの列毎に対応して係止板が設けられ、係止板は同列で並ぶ複数のキャビティ内に挿入された端子金具の受け面に対して押し当て可能とされる係止面を複数有しているから、リテーナの装着動作に伴い、一つのリテーナがその装着方向に同列で並ぶ複数のキャビティに収容された各端子金具を係止することが可能となる。したがって、リテーナの装着方向に一つの端子金具しか係止できなかった従来の場合と違って適用範囲が拡がる。  
また、リテーナは、ヒンジの周りに回動してコネクタハウジングの装着孔に挿入されるから、ヒンジの長さを格別長くする必要はなく、ヒンジに異物が引っ掛かるのを回避できる。しかも端子金具がキャビティ内に正規挿入されず半挿入位置で留まっていた場合には、係止板はその回動操作によって端子金具の受け面を後方から押圧して端子金具を正規挿入位置まで誘導できるから、端子金具が半挿入状態で留め置かれるのを防止できる。
【００１０】
＜請求項２の発明＞
コネクタハウジングにおける装着孔の後方孔縁が係止板の回動軌跡に沿った円弧状に切り欠いて形成されているから、コネクタハウジング内において装着孔の形成領域が必要以上に大きくなることはなく、コネクタハウジングの必要強度を確保することができる。
【００１１】
＜請求項３の発明＞
本発明において、仮に、コネクタにリテーナが一つだけしか設けられていないと、係止板は列方向に並ぶ全てのキャビティを横切るに足る大きな回動半径をもって形成される必要があるので、列方向のキャビティ数が多くなることで装着孔がコネクタハウジングの後端面にまで開口することがあり、キャビティの機能が損なわれるおそれがある。しかるに本発明によれば、リテーナはキャビティの列方向で対向するコネクタハウジングの両側面に夫々設けられているから、一つのリテーナで全キャビティを賄うよりも夫々の係止板の回動半径を小さくすることができ、コネクタハウジングの後面に装着孔が開口するのを防止できる。
【発明を実施するための最良の形態】
【００１２】
＜実施形態１＞
本発明の実施形態１を図１ないし図８によって説明する。本実施形態は、自動車のドアミラーのパネル９０に取り付けられるコネクタを例示するものであり、コネクタハウジング１０とリテーナ６０とを備え、リテーナ６０はコネクタハウジング１０に対してヒンジ４０を介して回動可能とされる。
【００１３】
コネクタハウジング１０は合成樹脂製であって、図４ないし図６に示すように、雄側の端子金具５０を収容する端子収容部１１と、端子収容部１１の前端から前方へ突出する角筒状のフード部１２とからなる。端子収容部１１は、高さ方向に複数段、詳しくは四段で、かつ幅方向に複数列、詳しくは五列（但し最上段は二列）のキャビティ１３を有し、各キャビティ１３内に後方から端子金具５０が挿入可能とされる。各キャビティ１３のうち、最上段に位置するものは、左右両端に一対配置され、この両キャビティ１３間には、後述するハウジングケース７０に対して弾性係止可能とされるハウジングロック部１４が介設されている。
【００１４】
コネクタハウジング１０の上下両面の後部には、図１および図２に示すように、周囲より一段落ちた左右一対ずつの窪み部１５が設けられており、各窪み部１５の底面に、リテーナロック部１６が形成されている。リテーナロック部１６は、前後方向に延びるリブ状をなし、ここにリテーナ６０に設けられたロック板６１のロック爪６２が係止可能となっている。そして、各キャビティ１３の内壁には端子金具５０に弾性係止可能とされるランス１７が両持ち梁状に形成されている。
【００１５】
ここで、ランス１７の後面は、図７に示すように、端子金具５０の挿入方向に対してテーパ状に傾斜する挿入案内面１８とされ、前方へ向かって昇り勾配に配される。一方、ランス１７の前面は、端子金具５０の抜出方向に対してテーパ状に傾斜する抜出案内面１９とされ、前方へ向かって下り勾配に配される。ランス１７の抜出案内面１９は、同時に端子金具５０の係止面として機能するものであるが、端子金具５０に対する係止力は相対的に低くなっており、端子金具５０の抜け止めは主としてリテーナ６０によって賄われる。キャビティ１３内から端子金具５０を抜き取る際には、リテーナ６０を非装着状態にしたあと電線１００を摘む等して各端子金具５０を後方へ引っ張ることにより、各端子金具５０をランス１７の抜出案内面１９に摺接させつつランス１７を係止解除方向に撓ませるようにする。したがって、ランス１７の係止状態を解除するための治具は不要とされ、各端子金具５０の抜き取り作業を簡単に行うことができて作業負担を軽減できる、とのメリットを有する。
【００１６】
端子金具５０は導電性金属板の曲げ加工等によって形成され、図６に示すように、前から順に、タブ５１、箱部５２、バレル部５３を備え、さらに、箱部５２とバレル部５３との間には下方を凹ませた形態の括れ部５４が設けられている。箱部５２のうち、括れ部５４と連なる顎状部分には、リテーナ６０によって係止される受け面５６が保有されている。箱部５２には同箱部５２の一部を切り欠くことでランス受け部５７が形成されており、端子金具５０がキャビティ１３内に正規挿入され、ランス受け部５７にランス１７が弾性的に嵌ることにより、端子金具５０の抜け止めがなされる。また、端子金具５０が正規挿入状態にあるとき、タブ５１はフード部１２内に突出して配される。
【００１７】
かかるコネクタハウジング１０は、図８に示すように、筒状のハウジングケース７０内にハウジングロック部１４によって収容保持され、その状態で、ハウジングケース７０内に前方から相手側のコネクタハウジング１０が挿入される。ハウジングケース７０内に挿入された相手側のコネクタハウジング９５は、ハウジングケース７０のロック部７１により抜け止め状態でロックされるとともに、フード部１２に内嵌されてその内部に収容された雌側の端子金具９６をタブ５１に導通状態で嵌合させる。ハウジングケース７０は、パネル９０に取り付けられるものであり、その上下両面に一対の取付部７２を突成させている。
【００１８】
また、コネクタハウジング１０には、上下（各段毎）のキャビティ１３間を区画する仕切壁２１を切り欠くことで各キャビティ１３と連通するリテーナ６０の装着孔２２が設けられている。この装着孔２２には、リテーナ６０に設けられた複数の係止板６３が収容可能とされ、コネクタハウジング１０の左右の両側面（キャビティ１３の列方向で対向するコネクタハウジング１０の両側面）には、図３に示すように、周囲より一段落ちた嵌合凹部３９に、係止板６３の挿通口２９が係止板６３毎に個別に開口して形成されている。
【００１９】
コネクタハウジング１０内における装着孔２２の前方孔縁は、図４に示すように、キャビティ１３の列方向（コネクタハウジング１０の幅方向、端子金具５０の挿抜方向と直交する方向、およびコネクタハウジング１０の嵌合離脱方向と直交する方向）に沿って延びることで同列方向に並ぶ各キャビティ１３を略直角に横切ってなるストレート縁２３とされる。一方、コネクタハウジング１０内における装着孔２２の後方孔縁は、ストレート縁２３およびコネクタハウジング１０の左右の両側面に半径部分を有する四半円弧に沿う左右一対の円弧縁２４とされる。両円弧縁２４は、コネクタハウジング１０の幅方向略中央においてストレート縁２３を臨める位置に、互いの端縁同士を交差させて接合されている。なお、コネクタハウジング１０内において列方向で隣り合うキャビティ１３間を仕切る隔壁２５は、ストレート縁２３および両円弧縁２４によって前後に分断されている。
【００２０】
コネクタハウジング１０の左右の両側面には、ストレート縁２３の両端の直前方位置に、左右一対ずつのヒンジ４０が連結されている。ヒンジ４０は、短寸の可撓帯状をなし、コネクタハウジング１０の両側面において夫々高さ方向に細長く延出されている。そして、ヒンジ４０は、図１に示すように、リテーナ６０に設けられた閉止板６４の板面とコネクタハウジング１０の両側面とが概ね平行となるようにリテーナ６０を配する初期位置と、係止板６３の板面とコネクタハウジング１０の両側面とが略面一で揃うようにリテーナ６０を配する装着位置との間で、リテーナ６０を１８０度の角度差をもって回動させるものであり、初期位置では直線状に延出され、装着位置では半円弧状に屈曲されている。
【００２１】
リテーナ６０は合成樹脂製であって、コネクタハウジング１０の左右の両側面にヒンジ４０によって一体連結されている。詳しくはリテーナ６０は、平面視によれば翼状をなし、閉止板６４と、閉止板６４の板面に突成される係止板６３と、閉止板６４の上下両端から各係止板６３と略平行に突成されるロック板６１とを備え、閉止板６４のうち、係止板６３が突成される板面とは反対側の板面に、ヒンジ４０が一体連成されている。閉止板６４は、図３に示すように、その板面を高さ方向に沿わせた方形板状をなし、装着位置にて嵌合凹部３９に嵌合して装着孔２２の挿通口２９を閉止可能とされる。閉止板６４が嵌合凹部３９に嵌合されると、閉止板の外側の板面はコネクタハウジング１０の左右両側面の周囲と略面一で連なる。ロック板６１は、係止板６３の突出方向先端部を一直線上に切り欠いた形態をなし、その切り欠き縁に沿ってロック爪６２が内向き（係止板６３側）に突成されている。ロック爪６２は、ロック板６１の内面に凹陥部６５を形成するのに伴って形成され、装着位置ではリテーナロック部１６と前後方向に当たり合って、コネクタハウジング１０に対してリテーナ６０を回動規制状態に保持する。
【００２２】
係止板６３は、キャビティ１３の列毎に複数段に分かれて配置されており、その板面は装着孔２２と対応する形態の円弧状、詳しくは四半円弧状をなしている。そして、係止板６３は、キャビティ１３の底壁と略平行する平面内を、ヒンジ４０を中心として回動されることで挿通口２９を通してコネクタハウジング１０の装着孔２２内に後方から挿入され、各キャビティ１３をその列方向に横切ったあと装着位置に至るに伴い、各キャビティ１３の内壁、詳しくは底壁に連なるとともにその回動方向前端縁をストレート縁２３に適合させる。この係止板６３の回動方向前端縁には、凹所６６が間隔をあけて形成され、装着位置にて各隔壁２５の端縁と凹所６６とが凹凸嵌合可能とされる。
【００２３】
ここで、コネクタハウジング１０には最上段を除いて同列で五つのキャビティ１３が並んで配されているわけであるが、このうち、左右両側に位置する二つのキャビティ１３を、対応する左右夫々の係止板６３が横切り、中央に位置する一つのキャビティ１３のうちの左右両側を、対応する左右夫々の係止板６３が横切る。つまり、中央に位置する一つのキャビティ１３については左右夫々の係止板６３が分担し合い、同キャビティ１３の幅方向中央を境として両係止板６３の外周縁同士が向き合っている。係止板６３のうち、最上段に位置するものは、ここに対応するキャビティ１３がコネクタハウジング１０の左右両端側にのみ設けられていることに起因し、他のものに比べ、長さ方向（突出方向）に短くなっている。
【００２４】
最上段を除く係止板６３の板面のうち、キャビティ１３の内壁を構成する内面には、閉止板６４側から順に、第一平面部６７、第二平面部６８、第三平面部６９が、夫々、略水平に配設されている。第一平面部６７、第二平面部６８、第三平面部６９の各間は、閉止板６４から離れるに従ってテーパ状の下り勾配をなす斜面部８１によって連ねられ、この斜面部８１を介して第一平面部６７から第三平面部６９にかけて高さが段々落ちている。係止板６３の回動方向前端縁のうち、第一平面部６７と第二平面部６８との間の斜面部８１と対応する位置には、第一の係止面８２が設定されるとともに、第二平面部６８と第三平面部６９との間の斜面部８１と対応する位置には、第二の係止面８３が設定され、さらに、第三平面部６９の先端部と対応する位置には、第三の係止面８４が設定されている。第一および第二の両係止面８２，８３の両側または第三の係止面８４の片側には凹所６６が配設されている。なお、最上段の係止板６３には、第一平面部６７、第二平面部６８、斜面部８１、第一の係止面８２が夫々設けられている。
【００２５】
係止板６３が装着位置に至ると、第一の係止面８２が、コネクタハウジング１０において左右両端に位置するキャビティ１３内に挿入された端子金具５０の受け面５６と端子金具５０の抜け方向で対面するとともに、第二の係止面８３が、コネクタハウジング１０において左右両端より一つ内側に位置するキャビティ１３内に挿入された端子金具５０の受け面５６と端子金具５０の抜け方向で対面し、さらに、第三の係止面８４が、コネクタハウジング１０において幅方向中央に位置するキャビティ１３内に挿入された端子金具５０の受け面５６と端子金具５０の抜け方向で係止板６３毎に左右両側から対面し、もって各係止面８２，８３，８４によって列方向に並ぶ各端子金具５０の抜け止めがなされる。また、係止板６３には、図３に示すように、第三平面部６９を切り欠いてこの係止板６３の回動方向後端縁に開口する凹み部８８が形成されており、ここを摘み操作することが容易としてある。
【００２６】
次に、本実施形態の作用を説明する。まず、図１ないし図４に示すように、コネクタハウジング１０に対してリテーナ６０を初期位置に開放状態で配する。続いて、コネクタハウジング１０のキャビティ１３内に後方から端子金具５０を挿入し、箱部５２の前端がキャビティ１３の前壁に突き当たるように、端子金具５０をキャビティ１３内に深く押し込む。端子金具５０が正規挿入位置に至るに伴い、箱部５２のランス受け部５７にランス１７が弾性的に嵌り、端子金具５０がランス１７によって仮保持状態で緩く係止される。
【００２７】
全ての端子金具５０をキャビティ１３内に挿入したら、リテーナ６０を、ヒンジ４０を中心として装着位置へ向かって回動させる。すると、キャビティ１３の列毎に設置された係止板６３が各キャビティ１３の列方向に沿った平面上を回動する。初期位置からヒンジ４０の周りに約９０度回動すると、係止板６３の回動方向前端縁がコネクタハウジング１０の両側面に対面しつつ挿通口２９に臨むこととなり、さらに回動操作を進めることで、係止板６３を対応する挿通口２９から装着孔２２内に挿入する。その挿入過程では、ロック板６１がコネクタハウジング１０の窪み部１５に進入するとともに、係止板６３がキャビティ１３を後方から円弧軌跡で横切って行く。
【００２８】
係止板６３は、その回動過程で括れ部５４によって凹まされた凹み空間５５を通過することにより、端子金具５０とは非干渉とされる。初期位置からヒンジ４０の周りに約１８０度回動してリテーナ６０が装着位置に至ると、ロック板６１がリテーナロック部１６を弾性係止してリテーナ６０の回動操作が規制される。また、リテーナ６０が装着位置に至ると、図５に示すように、係止板６３の複数の係止面８２，８３，８４が夫々対応する端子金具５０の受け面５６に対して後方から当接または近接して、各端子金具５０が係止板６３によって係止されてその抜け止めが確実になされる。
【００２９】
上記の場合において、仮に、端子金具５０がキャビティ１３内に正規挿入されず半挿入位置で留まっていると、回動途中の係止板６３の各係止面８２，８３，８４が端子金具５０の受け面５６に対して後方から押し当たり、さらなる係止板６３の回動操作によって端子金具５０が正規挿入位置へと押圧状態で強制的に移動させられる。そして、係止板６３が装着位置に至ると同時に、端子金具５０も正規装着位置に至ってランス１７によって弾性係止される。
【００３０】
以上説明したように本実施形態によれば、コネクタハウジング１０に対するリテーナ６０の装着動作に伴い、各係止板６３が、装着孔２２への挿入方向に同列で並ぶ複数のキャビティ１３に収容された各端子金具５０を抜け止め状態で係止するようになっているから、リテーナ６０の装着方向に沿って一つの端子金具５０しか係止できなかった従来のヒンジタイプのリテーナと異なり、設計上のバリエーションの幅を拡げることができて設計自由度を高めることができる。  
また、リテーナ６０は、ヒンジ４０の周りに回動して装着位置に至るから、ヒンジ４０の長さを格別長くする必要はなく、ヒンジ４０に異物が引っ掛かるのを回避できる。しかも端子金具５０がキャビティ１３内に正規挿入されず半挿入位置で留まっていた場合には、係止板６３はその回動操作によって端子金具５０の受け面５６を後方から押圧して端子金具５０を正規挿入位置へと至らすから、端子金具５０が半挿入状態で留め置かれるのを防止できる。なお、リテーナ６０がヒンジ４０によってコネクタハウジング１０に一体連結されているから、部品点数を削減できて管理が容易であるのは言うまでもない。
【００３１】
また、コネクタハウジング１０における装着孔２２の後方孔縁が係止板６３の回動軌跡に沿った円弧状に切り欠かれた円弧縁２４とされるから、ここが係止板６３の回動軌跡から大きく外れて開放される場合に比べて、装着孔２２の形成領域を小さく設定でき、コネクタハウジング１０の必要強度を確保することができる。  
さらに、係止板６３が装着孔２２に正規深さで挿入されると、係止板６３の回動方向前端縁に設けられた凹所６６がキャビティ１３間を仕切る隔壁２５に凹凸嵌合可能とされ、これにより係止板６３がコネクタハウジング１０に遊動規制状態で位置決めされるから、係止板６３による係止状態の安定性を確保することができる。
【００３２】
そして、本実施形態によれば、リテーナ６０がキャビティ１３の列方向で対向するコネクタハウジング１０の両側面に夫々設けられているから、一つのリテーナ６０しか設けられない場合に比べて、夫々の係止板６３の回動半径を小さく設定できる。その結果、コネクタハウジング１０の後面に装着孔２２が開口してしまってキャビティ１３の機能が損なわれるのを防止できる。
【００３３】
＜他の実施形態＞
本発明は上記記述及び図面によって説明した実施形態に限定されるものではなく、例えば次のような実施形態も本発明の技術的範囲に含まれる。  
（１）本発明によれば、リテーナは、コネクタハウジングの左右の両側面のうちのいずれかの側面に対して一つだけが一体連結されるものであってもよい。  
（２）本発明によれば、係止板に設けられた係止面の個数を、左右夫々のリテーナで異ならせてもよい。  
（３）本発明によれば、係止板の形状は特に限定されず、例えば、平面視によって多角形状をなしていてもよい。  
（４）本発明によれば、受け面は、端子金具の箱部の壁を切り起こして形成されてもよく、あるいは、バレル部の後端縁に形成されてもよい。  
（５）本発明は、キャビティが横一列で配された一段タイプのものにも適用可能である。  
（６）本発明は、雌端子金具を収容可能な雌側コネクタハウジングに適用可能である。
【図面の簡単な説明】
【００３４】
【図１】実施形態１のコネクタの背面図
【図２】リテーナを初期位置に開放させたコネクタの平面図
【図３】リテーナを初期位置に開放させたコネクタの側面図
【図４】リテーナを初期位置に開放させたコネクタの横断面図
【図５】リテーナを装着位置に閉止させたコネクタの横断面図
【図６】コネクタハウジングの側部における側断面図
【図７】コネクタハウジングの中央部における側断面図
【図８】相手側のコネクタと正規嵌合されたコネクタの側断面図
【符号の説明】
【００３５】
１０…コネクタハウジング
１１…端子収容部
１３…キャビティ
１６…リテーナロック部
１７…ランス
２２…装着孔
２４…円弧縁
２５…隔壁
４０…ヒンジ
６０…リテーナ
６１…ロック板
６３…係止板
６４…閉止板
８２…第一の係止面
８３…第二の係止面
８４…第三の係止面
【図１】
2008117649.tif 000003
【図２】
2008117649.tif 000004
【図３】
2008117649.tif 000005
【図４】
2008117649.tif 000006
【図５】
2008117649.tif 000007
【図６】
2008117649.tif 000008
【図７】
2008117649.tif 000009
【図８】
2008117649.tif 000010